(57)【要約】      （修正有）【課題】ミシン針の糸穴位置に合わせた段差の隆起面を有する基板を、ミシン針側面に当て、これに沿って従来の市販の糸通し器を糸穴に案内して、視力の弱い人がいっそう確実かつ簡単に針に糸を通すことができる糸通し器ガイドを提供する。【解決手段】左下に切欠きを設けて逆Ｌ字形をした基板１０の下端から３〜５ｍｍの切欠きを有し、切欠きに接する垂線を境に基板１０の右辺全面に幅が５〜９ｍｍ、厚みが０．４〜０．５ｍｍの隆起部７を設け、隆起部７の左側がミシン針に沿って直線縁部を有することを特徴とし、さらに、切欠きを境に基板１０の左辺に第２隆起部５を設け、隆起部７と第２隆起部５の間隔が０．８〜１．５ｍｍで、第２隆起部５の右側も直線縁部を形成していることを特徴とする。【選択図】図２
0003191473.tif 000002
【実用新案登録請求の範囲】
【請求項１】
左下に切欠きを設けた逆L字形の基板１０の下端からの３〜５ｍｍの切欠きを有し、その右辺に幅が５〜９ｍｍ、厚みが０．４〜０．５ｍｍの隆起部７を有し、隆起部７の左側がミシン針に沿う直線縁部を有することを特徴とする糸通し器ガイド。
【請求項２】
請求項1において、切欠きの左側に第２隆起部針を有し、隆起部と第２隆起部の間隔が０．８〜１．５ｍｍであることを特徴とする糸通し器ガイド。
【考案の詳細な説明】
【技術分野】
【０００１】
本考案は、ミシン針の糸穴へ糸を通すことに関する。
【背景技術】
【０００２】
従来、ミシン針に早く糸を通すため、図2の下側に描いた連続3枚の側面図が示すように、細いピアノ線針金で、先端が鋭角となる、パンタグラフ状の輪を取っ手（柄部）に付けた糸通し、もしくは糸通し器と称するツールが、しばしば用いられてきた。
その先端を針穴に通す際、ピアノ線の輪は、電車のパンタグラフのように扁平に圧縮され、針穴通過後、形を復旧するので、拡大した輪の中に糸を挿入し、通した糸と共にこのツールを針穴から引き抜くことにより、針に糸を通していた。しかしながら、ミシン針に糸を通すという作業は細かく、糸を通すための糸通し器は販売されているものの、ミシンに糸を通すという作業は狭い空間で行うため、特に眼が見えにくい人にとってはなかなか糸通し器を用いてもうまく作業できないという問題点があった。
【先行技術文献】
【特許文献】
【０００３】
【特許文献１】特開２０１２−１３９４３０号公報
【考案の概要】
【考案が解決しようとする課題】
【０００４】
本考案は老齢その他の理由で視力が弱くなった人にとって、従来の市販糸通し器を使用しても、糸通し作業は難しく、イライラの原因となっていた点を解決する糸通し器と併用して、針に糸を楽に通す補助ツールとしての糸通し器ガイドを提供することにある。
【課題を解決するための手段】
【０００５】
本考案は
１．左下に切欠きを設けた逆L字形の基板１０の下端から３〜５ｍｍの切欠きを有し、その右辺に幅が５〜９ｍｍ、厚みが０．４〜０．５ｍｍの隆起部７を有し、隆起部７の左側がミシン針に沿う直線縁部を有することを特徴とする糸通し器ガイド
２．1において、切欠きの左側に第２隆起部を有し、隆起部と第２隆起部の間隔が０．８〜１．５ｍｍであることを特徴とする糸通し器ガイド
である。
【０００６】
本考案の逆Ｌ字型基板とは長さは２５〜４５ｍｍ、高さ２０〜２９ｍｍ、下端からの切欠きの高さが３〜５ｍｍの大きさが必要であり、左下に切欠き端を有することに特徴がある。基板の右辺の隆起部の幅は：５〜９ｍｍ、厚みが０．４〜０．５ｍｍであることが必要である。基板の隆起部７の左側がミシン針に沿う直線縁部を有することが必要である。左下の切欠き部は３〜５ｍｍであることが必要であり、直線縁部にミシン針を沿わせて用いる。このとき、切り欠き部の下端とミシン針の下端を揃えてセットするとさらに使いやすくなる。
【０００７】
また、逆Ｌ字形の基板の左側には第２隆起部を有し、隆起部と第２隆起部の間隔が０．８〜１．５ｍｍであることが好ましい。
本考案は、市販の糸通し器と併用して使用するための補助ツールであって、材質的にはプラスチック・シート、紙、金属板などを材料とする薄板３枚を、両面テープなどで貼り合わせるか、プラスチック射出成形技術あるいは３Ｄプリンターなどを使用して一体構造に形成した糸通し器ガイドとする。
基板は左下に切欠きを設けた逆L字形の板で、高さがミシンの針棒のミシンの針取付け固定基部下端（付根部）から針先まで相当、切欠きの高さは、針の糸穴から針先端までの長さである。
基板１０上、左側の平坦な隆起部5と右側の平坦な隆起部７を、針の太さに相当する間隔で隔てるよう配置し、本考案使用時に、針がこれら隆起部が形成する垂直な溝に嵌め込まれる構造である。
【０００８】
図中、右側の隆起部は厚さが、針の糸穴周辺の直径の約１／２となっているので、その段差を生じさせる右側隆起面に沿って市販糸通し器を、切欠きの角（コーナー）を目印に針穴に誘導すれば、視力の落ちた人でも、針に糸を確実かつ容易に針に糸を通すことができる。
【０００９】
請求項２記載の糸通し器においては、左側にさらに第２隆起部を設けているので、針を挿入する溝空間をなしているのでミシン針のセットがより容易になり、隆起部の段差部分に垂直に密着させた状態で、市販糸通し器を、右側隆起面に沿って切欠きの角（コーナー）を目印に針穴に誘導すれば、糸を確実かつ容易に針に糸を通すことができる。
【考案の効果】
【００１０】
市販糸通し器と本考案の糸通し器ガイドを併用することによって、針に糸を確実かつ容易に通すことができる。
【図面の簡単な説明】
【００１１】
【図１】糸通し器ガイドの斜視図。
【図２】糸通し器をガイドの隆起面に沿って針穴に誘導する状態を示す連続3枚の側面図と断面図。その下側の連続3枚の図は、針に糸を通す手順を示す側面図である。
【図３】糸通し器ガイドの形状と寸法の一例を示す平面図と断面図である。
【図４】糸通し器をガイドの右側隆起面に沿って針穴に誘導する状態の一例を示す概念図である。
【考案を実施するための形態】
【００１２】
以下、本考案の実施例をもって説明する。
【実施例】
【００１３】
左下に切欠きを設けた逆L字形の基板１０の下端からの３．８ｍｍの切欠きを有し、その右辺に幅が８．２ｍｍ、厚みが０．４５ｍｍの隆起部7を有し、隆起部７の左側がミシン針に沿う直線縁部を有する糸通し器ガイドを用いた。
基板はプラスチック・シートを材料とする薄板3枚を、両面テープで貼り合わせて一体構造とした。
【００１４】
使い方の説明は以下の通りである。
ミシンの針棒（天びん）を最高の位置に上げ、生地押さえを針板上に下げておく。
糸通しガイドの前縁が、ミシンの真正面を向くよう、左手人差し指か中指で、針の左側から針に押し当て、糸通し器ガイド上端がミシンの針取付け固定基部下端（付根部）に突き当たり、なおかつ針が糸通しガイドの溝に嵌め込まれる、すなわち段差部に垂直に密着した状態に保持する。
請求項２の構造においては、針を嵌め込んで針と糸通し器ガイドとの相互位置関係を決定する溝が省かれているので、針が段差部に垂直に密着する状態に保持する。
図２で示すように、従来の市販糸通し器を、右手で糸通し器ガイドの後縁（奥）側からガイドの右側隆起面に沿って滑らせて、ガイドの切欠き部の角（コーナー）を目印に、針穴を通過させる。
図2の下側3枚の図が示すように糸通し器ガイドをはずし、針穴を通ったピアノ線の輪の中に、糸を左側から右に通す。
糸通し器を針から引き抜く。
以上により、本考案の糸通し器ガイドを用いることにより，簡単にかつ短時間でミシン針に糸を通す事が出来る。
【符号の説明】
【００１５】
５：  左側隆起部
６：  溝
７：  右側隆起部
８：  切欠きの角（コーナー）
９：  糸通し器
１０：  基板
１１：  ミシン針
１２：  糸
１３：  基板前縁
１４：  基板後縁
【図１】
0003191473.tif 000003
【図２】
0003191473.tif 000004
【図３】
0003191473.tif 000005
【図４】
0003191473.tif 000006
【手続補正書】
【提出日】平成26年4月18日(2014.4.18)
【手続補正１】
【補正対象書類名】実用新案登録請求の範囲
【補正対象項目名】全文
【補正方法】変更
【補正の内容】
【実用新案登録請求の範囲】
【請求項１】
左下に切欠きを設けて逆L字形をした基板（１０）の下端から３〜５ｍｍの切欠きを有し、切欠きに接する垂線を境に基板（１０）の右辺全面に幅が５〜９ｍｍ、厚みが０．４〜０．５ｍｍの隆起部（７）を有し、隆起部（７）の左側がミシン針に沿って直線縁部を有することを特徴とする糸通し器ガイド。
【請求項２】
請求項1において、切欠きを境に基板（１０）の左辺に第２隆起部（５）を有し、隆起部（７）と第２隆起部（５）の間隔が０．８〜１．５ｍｍで、第２隆起部（５）の右側も直線縁部を形成していることを特徴とする糸通し器ガイド。